(57)【要約】【課題】ファイルシステムの中に、使用可能なファイルと使用できないファイルとが混じって、散在しているような状態で、使用可能なファイルのみを取り出し、取り出されたファイルを自由に組み合せて、検索分析を行う。【解決手段】様々なファイル形式のファイルが混在するファイルシステムから、所定のファイル形式を持ち、情報単位の集まりである情報単位群を検索する情報単位群検索手段と、前記情報単位群検索手段により検索された情報単位群からユーザが情報単位群を指定する情報単位群指定手段と、検索条件を入力する検索条件入力手段と、前記情報単位群指定手段により指定された情報単位群より、前記検索条件入力手段から入力された検索条件に適合する情報単位を検索する検索手段と、前記検索手段により検索された情報単位を表示する検索結果表示手段とを有する。【選択図】　　　　　図６
2004046870.tif 000002
【特許請求の範囲】
【請求項１】
情報単位の集まりである実情報単位群を統合した統合情報単位群の識別情報を表示する識別情報表示手段と、
前記識別情報表示手段による表示に対応して設けられ、前記統合情報単位群の少なくとも一つを選択する入力を受け付ける情報単位群選択手段と、
前記情報単位群選択手段により選択された前記統合情報単位群の識別情報を保持する選択結果保持手段と、
前記選択結果保持手段に保持された情報単位群を統合して新たな統合情報単位群を生成し、該統合情報単位群の情報を保持する情報単位群統合手段と、
検索条件を入力する検索条件入力手段と、
前記情報単位群統合手段により統合された新たな統合情報単位群より、前記検索条件入力手段から入力された検索条件に適合する情報単位を検索する検索手段と、
前記検索手段により検索された情報単位を表示する検索結果表示手段と
を有することを特徴とする情報単位群操作装置。
【請求項２】
情報単位の集まりである実情報単位群を統合した統合情報単位群の識別情報を表示する識別情報表示手段と、
前記識別情報表示手段による表示に対応して設けられ、前記統合情報単位群の少なくとも一つを選択する入力を受け付ける情報単位群選択手段と、
前記情報単位群選択手段により選択された前記統合情報単位群の識別情報を保持する選択結果保持手段と、
前記選択結果保持手段に保持された情報単位群を統合して新たな統合情報単位群を生成し、該統合情報単位群の情報を保持する情報単位群統合手段と、
情報単位群に属する情報単位を評価するための条件を保持する評価条件保持手段と、
評価条件保持手段に保持されている条件に基づいて、前記情報単位群統合手段により統合された統合情報単位群に属する各情報単位を評価した値を算出する情報単位評価手段と、
情報単位評価手段によって算出された評価値に基づいて、情報単位の存在を表現する画像構成要素の位置を決定する位置算出手段と、
位置算出手段によって決定された位置に画像構成要素を配置する分析画像生成手段と、分析画像生成手段によって生成された画像を表示する分析画像表示手段と
を有することを特徴とする情報単位群操作装置。
【請求項３】
情報単位の集まりである実情報単位群を統合した統合情報単位群の識別情報を表示し、
前記表示に対応して設けられ、前記統合情報単位群の少なくとも一つを選択する入力を受け付け、
前記選択された前記統合情報単位群の識別情報を保持し、
前記保持された情報単位群を統合して新たな統合情報単位群を生成し、該統合情報単位群の情報を保持し、
検索条件を入力し、
前記統合された新たな統合情報単位群より、前記入力された検索条件に適合する情報単位を検索し、
前記検索された情報単位を表示する
ことを特徴とする情報単位群操作方法。
【請求項４】
情報単位の集まりである実情報単位群を統合した統合情報単位群の識別情報を表示し、
前記表示に対応して設けられ、前記統合情報単位群の少なくとも一つを選択する入力を受け付け、
前記選択された前記統合情報単位群の識別情報を保持し、
前記選択結果保持手段に保持された情報単位群を統合して新たな統合情報単位群を生成し、該統合情報単位群の情報を保持し、
情報単位群に属する情報単位を評価するための条件を保持し、
前記保持されている条件に基づいて、前記統合された統合情報単位群に属する各情報単位を評価した値を算出し、
前記算出された評価値に基づいて、情報単位の存在を表現する画像構成要素の位置を決定し、
前記決定された位置に画像構成要素を配置し、
前記配置された画像を表示する
ことを特徴とする情報単位群操作方法。
【発明の詳細な説明】
【０００１】
【発明の属する技術分野】
本発明は、本発明は、情報を検索したり、評価分析するための装置に関する。
【０００２】
【従来の技術】
本明細書において情報単位とは、名称（見出し）を持ったひとかたまりの情報をいう。
情報の最も基本的なものは文字列であるが、画像、音声、動画など電子的に表現できるものであれば、どのようなものでもかまわない。
また、検索の利便性を考慮すれば、その情報の性質を表現するキーワード等の属性値を持っていることが好ましい。
さらに、情報単位群とは、複数の情報単位の集合のことである。
本発明では、情報単位群がファイルシステム上に複数、しかも他のファイルと混在して存在している状況を想定している。
【０００３】
例えば、情報単位群の代表的なものは、電子辞書である。
１つの情報単位は例えば『ａｐｐｌｅ』という単語を見出しとして、その発音、意味、用例などの記述を内容とする。
そして、英和辞書の全体が情報単位群ということになる。
さらに、それが複数ある状態とは、英和辞書のみならず、国語辞典、漢和字典、和英辞書、仏和辞書などの様々な辞書データが混在している状態を指す。
辞書データの場合には、通常編集したりはしないが、本発明で扱う情報単位は、編集、変換、移動等の操作を行うことも前提としている。
【０００４】
情報単位群の別な例は、データベースである。
データベースの１レコードが１つの情報単位に相当する。
そして、ある分野のデータベース全体が情報単位群に相当する。
【０００５】
複数の情報単位群を同時に扱う先行技術文献として、特開昭６２−２８７３３６や特開平４−１９５６８０などがあった。
特開昭６２−２８７３３６は、複数の辞書をユーザが選択して同時に検索する技術を開示している。
この技術では、ディスク装置および辞書情報サーバに存在する辞書の名称が表示される。
ユーザは、この中から自由な組合せで同時に複数の辞書を利用したり、ある辞書の検索結果から、次の検索条件を指定して、別の辞書を検索したりすることができる。
また、特開平４−１９５６８０も同様に、複数の辞書を組み合せて利用する技術である。
この技術では、あらかじめ辞書属性テーブルを設け、変換した結果を用いて辞書をひく連続検索を、一定の基準に基づいて行うことを可能としている。
また、使用すべき辞書とその優先順位を記述したテーブルを設けることで、ユーザが状況に応じたアプリケーションを作成できるようにしている。
【０００６】
【発明が解決しようとする課題】
しかしながら、これらの技術は、あらかじめ使用可能な情報単位群あるいは情報単位群が存在している位置が決まっていることを前提としている。
さらに、その位置にシステムが扱うことのできない情報が混在していることは想定していない。
このような状況では、システムが扱えない情報を辞書としてユーザに提示する恐れがある。
また、ファイル構成の変更のたびに前記のようなテーブルをユーザがメンテナンスする必要があり、ダイナミックに新しい情報単位群を追加したり分離したりしながら、連続的に検索を行うことはできなかった。
【０００７】
そこで、本発明では、通常のファイルシステム内に情報単位群が散在しているような状況においても、システムが使用可能な情報単位群のみを自動的に検索することを課題とする。
また、ユーザが情報単位群の組合せをダイナミックかつ自由に指定して、指定された情報単位群を検索したり分析したりできるようにすることを課題とする。
【０００８】
本発明に係る情報単位群操作装置は、様々なファイル形式のファイルが混在するファイルシステムから、所定のファイル形式を持ち、情報単位の集まりである情報単位群を検索する情報単位群検索手段と、前記情報単位群検索手段により検索された情報単位群からユーザが情報単位群を指定する情報単位群指定手段と、検索条件を入力する検索条件入力手段と、前記情報単位群指定手段により指定された情報単位群より、前記検索条件入力手段から入力された検索条件に適合する情報単位を検索する検索手段と、前記検索手段により検索された情報単位を表示する検索結果表示手段とを有する。
【０００９】
好適には、前記情報単位群指定手段は、前記情報単位群検索手段により検索された情報単位群の固有識別情報を保持する識別情報保持手段と、前記識別情報保持手段に保持される識別情報を表示する識別情報表示手段と、前記識別情報表示手段による表示に対応して設けられ、前記識別情報保持手段に保持されている識別情報に対応する情報単位群から少なくとも１つの情報単位群を選択する入力を受け付ける情報単位群選択手段と、前記情報単位群選択手段により選択された識別情報を保持する選択結果保持手段を有し、前記検索手段は前記選択結果保持手段に保持された識別情報に対応する情報単位群より、前記検索条件入力手段から入力された検索条件に適合する情報単位を検索するように構成してもよい。
【００１０】
好適には、前記検索手段は、更に検索した情報単位が所属する情報単位群の識別情報を取得し、前記検索結果表示手段は、前記検索手段の検索した情報単位とともに、該情報単位が所属する情報単位群の識別情報を表示することができる。
【００１１】
好適には、更に、ファイルシステムの中で特に前記所定のファイル形式を持つ情報単位群が存在する可能性が高い場所についての情報を保持する存在場所保持手段を有し、前記情報単位検索手段は存在場所保持手段に保存されている情報に基づいてファイルシステムから所定のファイル形式を持つ情報単位群を検索するようにしてもよい。
【００１２】
また、本発明に係る情報単位群操作装置は、様々なファイル形式のファイルが混在するファイルシステムから、所定のファイル形式を持ち、情報単位の集まりである情報単位群を検索する情報単位群検索手段と、前記情報単位群検索手段により検索された情報単位群からユーザが情報単位群を指定する情報単位群指定手段と、情報単位群に属する情報単位を評価するための条件を保持する評価条件保持手段と、評価条件保持手段に保持されている条件に基づいて、前記情報単位群指定手段により指定された情報単位群に属する各情報単位を評価した値を算出する情報単位評価手段と、情報単位評価手段によって算出された評価値に基づいて、情報単位の存在を表現する画像構成要素の位置を決定する位置算出手段と、位置算出手段によって決定された位置に画像構成要素を配置する分析画像生成手段と、分析画像生成手段によって生成された画像を表示する分析画像表示手段とを有する。
【００１３】
好適には、前記情報単位群指定手段は、前記情報単位群検索手段により検索された情報単位群の固有識別情報を保持する識別情報保持手段と、前記識別情報保持手段に保持される識別情報を表示する識別情報表示手段と、前記識別情報表示手段による表示に対応して設けられ、前記識別情報保持手段に保持されている識別情報に対応する情報単位群から少なくとも１つの情報単位群を選択する入力を受け付ける情報単位群選択手段と、前記情報単位群選択手段により選択された識別情報を保持する選択結果保持手段とを有し、前記情報単位評価手段は、前記評価条件保持手段に保持されている条件に基づいて、前記選択結果保持手段に保持される情報単位群の識別情報に対応する情報単位群に属する各情報単位を評価した値を算出するように構成してもよい。
【００１４】
好適には、ファイルシステムの中で特に前記所定のファイル形式を持つ情報単位群が存在する可能性が高い場所についての情報を保持する存在場所保持手段を有し、前記情報単位検索手段は存在場所保持手段に保存されている情報に基づいてファイルシステムから所定のファイル形式を持つ情報単位群を検索するようにしてもよい。
【００１５】
また、本発明に係る情報単位群操作装置は、様々なファイル形式のファイルが混在するファイルシステムから、所定のディレクトリ構造を持つ情報単位群を検索する情報単位群検索手段と、情報単位群検索手段により検索された情報単位群の固有識別情報を保持する識別情報保持手段と、前記識別情報保持手段に保持される識別情報を表示する識別情報表示手段とを有する。
【００１６】
好適には、前記情報単位群検索手段はファイルを構成するディレクトリに見出しと該見出しに対応する内容を保持するデータファイルと情報単位の検索時に入力される検索キーと該検索キーに対応するデータの前記データファイル中における存在位置との対応関係を保持するインデックスファイルと前記検索キーを該検索キーに対応するインデックスファイル中のアドレスに変換するハッシュテーブルファイルとを含む情報単位群を検索するようにすることができる。
【００１７】
また、本発明に係る情報単位群操作は、情報単位の集まりである情報単位群の識別情報を表示する識別情報表示手段と、前記識別情報表示手段による表示に対応して設けられ、前記情報単位群より少なくとも第１の情報単位群及び第２の情報単位群を順に選択する入力を受け付ける情報単位群選択手段と、前記情報単位群選択手段により選択された前記第１の情報単位群及び第２の情報単位群の識別情報を選択された順序とともに保持する選択結果保持手段と、第１の検索条件を入力する検索条件入力手段と、前記検索条件入力手段から入力された第１の検索条件に適合する情報単位を前記選択結果保持手段に保持された第１の情報単位群から検索し、該検索結果を第２の検索条件として、該第２の検索条件に適合する情報単位を前記第２の情報単位群より検索する検索手段と、前記検索手段により検索された情報単位を表示する検索結果表示手段とを有する。
【００１８】
また、本発明に係る情報単位群操作装置は、情報単位の集まりである実情報単位群を統合した統合情報単位群の識別情報を表示する識別情報表示手段と、前記識別情報表示手段による表示に対応して設けられ、前記統合情報単位群の少なくとも一つを選択する入力を受け付ける情報単位群選択手段と、前記情報単位群選択手段により選択された前記統合情報単位群の識別情報を保持する選択結果保持手段と、前記選択結果保持手段に保持された情報単位群を統合して新たな統合情報単位群を生成し、該統合情報単位群の情報を保持する情報単位群統合手段と、検索条件を入力する検索条件入力手段と、前記情報単位群統合手段により統合された新たな統合情報単位群より、前記検索条件入力手段から入力された検索条件に適合する情報単位を検索する検索手段と、前記検索手段により検索された情報単位を表示する検索結果表示手段とを有する。
【００１９】
また、本発明に係る情報単位群操作装置は、情報単位の集まりである実情報単位群を統合した統合情報単位群の識別情報を表示する識別情報表示手段と、前記識別情報表示手段による表示に対応して設けられ、前記統合情報単位群の少なくとも一つを選択する入力を受け付ける情報単位群選択手段と、前記情報単位群選択手段により選択された前記統合情報単位群の識別情報を保持する選択結果保持手段と、前記選択結果保持手段に保持された情報単位群を統合して新たな統合情報単位群を生成し、該統合情報単位群の情報を保持する情報単位群統合手段と、情報単位群に属する情報単位を評価するための条件を保持する評価条件保持手段と、評価条件保持手段に保持されている条件に基づいて、前記情報単位群統合手段により統合された統合情報単位群に属する各情報単位を評価した値を算出する情報単位評価手段と、情報単位評価手段によって算出された評価値に基づいて、情報単位の存在を表現する画像構成要素の位置を決定する位置算出手段と、位置算出手段によって決定された位置に画像構成要素を配置する分析画像生成手段と、分析画像生成手段によって生成された画像を表示する分析画像表示手段とを有する。
【００２０】
【作用】
ファイルシステム中には、本発明の装置で扱うことができる情報単位群とその他のファイルが混在して保存されている。
情報単位群検索手段は、本発明の装置が扱う情報単位群をファイルシステム内から検索する。
検索条件入力手段は検索条件を入力するための手段である。
ここから入力された条件に基づいて、検索手段は、本発明の装置が扱うものとして検索された情報単位群からユーザが指定した情報単位群に対する検索を行う。
検索結果は検索結果表示手段によって表示される。
以上によって、ファイルシステム中に散在する情報単位群の中から、適当なものを選択し、検索することが可能となる。
【００２１】
また情報単位群検索手段の検索結果は識別情報保持手段に保存され、識別情報表示手段はユーザに対して識別情報保持手段の内容を表示する。
ユーザは情報単位群選択手段を通じて、識別情報表示手段に表示されている情報単位群を選択し、その選択結果は選択結果保持手段に保存される。
検索手段は、選択結果保持手段に保持された選択結果に基づいて情報単位群に対する検索を行う。
これにより、グラフィカルな取り扱いができ、ユーザフレンドリな構成になる。
【００２２】
また検索手段は、検索結果とともにその検索結果がどの情報単位群に所属するものであるのかを取得する。
そして、検索結果表示手段は、検索された情報単位の情報とともに、その情報単位がどの情報単位群に所属するものかを提示する。
以上によって、複数の情報単位群を統合的に検索した場合に、検索結果の情報単位がどの情報単位群に所属するものであるのかを容易に知ることが可能となる。
【００２３】
情報単位群検索手段は、ファイルシステム中に散在する本発明の装置で扱うことができる情報単位群を検索する。
ユーザは検索された情報単位群から幾つかを指定する。
情報単位群評価手段は、指定された情報単位群に含まれる情報単位を順次読み込んで、評価条件保持手段に保存されている条件に照らした評価値を算出する。そして、その評価値を位置算出手段が画面上の位置情報へと変換し、分析画像生成手段が情報単位の存在を表現する画像構成要素を位置算出手段によって算出された位置に配置した画像を生成する。
生成された画像は、分析画像表示手段に表示される。
以上により、ファイルシステム中に散在する情報単位群の中から、適当なものを選択し、選択された情報単位群を様々な条件に基づいて、分析した画像を得ることが可能となる。
【００２４】また情報単位群検索手段の検索結果は識別情報保持手段に保存され、識別情報表示手段はユーザに対して識別情報保持手段の内容を表示する。ユーザは情報単位群選択手段を通じて、識別情報表示手段に表示されている情報単位群を選択し、その選択結果は選択結果保持手段に保存される。
情報単位評価手段は選択結果保持手段に保持された選択結果に基づいて情報単位の評価を行う。
これにより、グラフィカルな取り扱いができ、ユーザフレンドリな構成になる。
【００２５】
更に、存在場所保持手段がファイルシステム中で情報単位群が配置されている確率の高い位置を保存している。
これは、通常ユーザーからの指示によって行われる。
この存在場所保持手段の情報を利用して、情報単位群検索手段は、使用可能な情報単位群を検索する。
以上により、ファイルシステムを全て検索することなしに、ファイルシステム中に散在する情報単位群の中から適当なものを選択し、検索・分析することが可能となる。
【００２６】
本発明の装置で取り扱うことの出来る情報単位群は所定のディレクトリ構造を持っていることが考えられる。
そこで、ディレクトリ構造に基づいて本装置で使用可能か否かを判定することで、場合に応じた情報単位群の検索ができる。
特に検索用の情報単位群である場合には情報を格納したデータファイル以外に検索を高速化するためのファイルを同時に保持していることがあるので、このようなファイルの存在を判定基準とすることができる。
【００２７】
識別情報表示手段は情報単位群を識別するための情報を表示する。
ユーザは表示された情報単位群を指定する。
選択順序は保存され、検索時にはその検索順序に従って、先に検索された情報単位群の検索結果を次の情報単位群の検索条件として検索する。
以上により、情報単位群の中から依存関係のある自由な組合せをダイナミックに指定して、連続的に検索出来る。
【００２８】
識別情報表示手段は実情報単位群を統合した統合情報単位群の識別情報を表示する。
ユーザは示された統合情報単位群を指定する。
選択された統合情報単位群は更に統合され、新たな統合情報単位群が構成される。
検索手段は統合された情報単位群に含まれ、検索条件に適合する情報単位を検索する。
これにより、複数の情報単位群を自由に組み合せて情報単位群の検索ができるとともに、複数の情報単位群の指定を容易に行うことができ、指定の追加変更等が柔軟に容易に行える。
【００２９】
識別情報表示手段は実情報単位群を統合した統合情報単位群の識別情報を表示する。
ユーザは示された統合情報単位群を指定する。
選択された統合情報単位群は更に統合され、新たな統合情報単位群が構成される。
情報単位評価手段は統合された情報単位群に含まれる情報単位を順次読み込んで評価条件保持手段に保持されている条件に照らした評価値を算出する。
そして評価値を位置算出手段が画面上の位置情報へと変換し、分析画像表示手段によって表示される。
これにより、複数の情報単位群を自由に組み合せて分析ができるとともに、複数の情報単位群の指定を容易に行うことができ、指定の追加変更等が柔軟に容易に行える。
【００３０】
【発明の実施の形態】
以下、図面を参照しながら実施例に基づいて本発明の特徴を具体的に説明する。
（実施例１：検索のための全体の構成）図１は、本発明を実施するための一実施例である情報単位群操作装置の全体構成を示すブロック図である。
本発明は、ファイルシステム１、このファイルシステム１の中から本装置で使用可能な情報単位群を検索する情報単位群検索手段５、情報単位群検索手段５が検索中に参考にする存在場所保持手段２、この情報単位群検索手段５の検索結果を保持する群名保持手段４、この群名保持手段４の内容を表示する群名表示手段３、この群名表示手段３に表示されている情報群の中から検索対象を選択する情報単位群選択手段６、この情報単位群選択手段６の選択結果を保持する選択結果保持手段７、この選択結果保持手段７の内容に基づいて、選択された情報単位群を統合し、統合した結果を保持する情報単位群統合手段８、検索条件を入力する検索条件入力手段９、検索条件入力手段９から入力された検索条件を用い、情報単位群統合手段８によって統合された情報単位群を検索する検索手段１０、この検索手段１０の検索結果を表示する検索結果表示手段１１とからなる。
【００３１】
（使用可能情報単位群の検索）本実施例の情報単位群操作装置は、図２に示されるようなディレクトリ管理されたファイルシステム中に、本装置で使用可能な情報単位群が分散して配置されており、且つそれ以外のファイルと混在しているものとする。
図２において、「情報単位群」と記載されている２ａ、２ｂ等は本装置で使用可能な情報単位群であるとする。
また、二重の矩形で囲まれた２ｃ、２ｄ等はディレクトリを示し、実践の矩形で示されている２ｅ、２ｆ等は文書ファイル、画像ファイル等である。
以下ではこれらをすべてまとめてファイルアイテムと呼ぶ。
ここでいうファイルシステムは本装置に直結したものでもよいし、ネットワークで結合されたものでもよい。
最近では、ネットワーク上の他のファイルシステムであっても、あたかも自分自身のファイルシステムであるかのように扱う技術が普及しているからである。
【００３２】
次に、本実施例における情報単位群の構成について述べる。
本装置で扱うことの出来る情報単位群は図３（ａ）図に示すように、ファイルアイテム（ディレクトリ）下に、Ｄａｔａ、Ｉｎｄｅｘ、Ｔａｂｌｅという３つのファイルアイテム（サブファイル）を持つ構造であるとする。
ここで、Ｄａｔａはデータの見出しとその見出しに対応する内容部を有するデータ単位の集合からなっている。
ＩｎｄｅｘとＴａｂｌｅはデータの検索を高速化するために設けられたファイルである。
Ｔａｂｌｅは、与えられた検索キーから求められるハッシュ値に対応するファイルＩｎｄｅｘを指すアドレス値に変換する。
Ｉｎｄｅｘのファイルは検索キーとその検索キーを持つデータが存在するＤａｔａのファイルの中のアドレスとの組をリストにした構造を持つハッシュテーブルであって、Ｔａｂｌｅファイルで示されるアドレスは同じハッシュ値を持つデータが格納されるアドレスのリストの先頭アドレスを示している。
以上の構成の概略を図３（ｂ）に示す。
例えば、検索キーとして「パセリ」が入力されたとき、そのハッシュ値を１とすると、まずファイルＴａｂｌｅを用いて対応するハッシュ値からファイルＩｎｄｅｘのアドレスを計算し、次にファイルＩｎｄｅｘを用いて、そのハッシュ値の示すアドレスを先頭にするリストを順にチェックして、ファイルＤａｔａのアドレスを取り出し、検索結果の内容部のデータを得る。
【００３３】
次に本実施例の情報単位群統合手段に保持されている情報単位群の統合結果について説明する。
情報単位群の間の関係は二分木により管理されている。
図４はその様子を示す概念図である。
図において４ｃは情報単位群、４ａ、４ｂは統合情報である。
二分木の葉の統合情報はファイルシステム中に存在する情報単位群に対応して設けられ、葉以外の統合情報は２つの統合情報を指すように構成されている。
２つの統合情報をさすポインタに順序付けをしておけば、統合順序を記憶しておくことができる。
各統合情報は固有の名前を持っている。
情報単位群統合手段には、二分木が複数格納されていてもよい。
【００３４】
図５及び図６のフローチャートに従って、情報単位群検索手段５がファイルシステムの中を全てチェックして、本装置で使用可能な情報単位群を検索し、リストアップする処理の流れを説明する。
図５は処理の概略を示したものである。
まず、カレントディレクトリの値を保存する変数ＣＵＲＤＩＲの値にルートディレクトリをセットする（ステップＳ５ａ）。
そして、図６により後述する本装置で使用可能な情報単位群を検索する関数を呼び出す（ステップＳ５ｂ）。
続いて、情報単位群統合手段を参照する（ステップＳ５ｃ）。
最後に群名表示手段３が、ステップＳ５ｂで検索された本装置で使用可能な情報単位群の群名をリストアップして処理を終了する（ステップＳ５ｄ）。
図９は群名表示手段３により群名がリストアップされた様子を示す一例である。
「１９９３論文」から「デザインイメージ」まではファイルシステム中に実在する情報単位群の群名であって、「書誌データ＋デザインイメージ」は情報単位群を統合した統合情報の識別子である。
【００３５】
図６は図５のステップＳ５ｂで呼び出される本装置で使用可能な情報単位群を検索する関数である。
まず、変数ＣＵＲＤＩＲの値に基づいて、カレントディレクトリをセットする（ステップＳ６ａ）。
そして、カレントディレクトリの何番目のファイルアイテムかを示す変数Ｎに１を代入する（ステップＳ６ｂ）。
以下の処理では、Ｎ番目のファイルアイテムを処理対象とする（ステップＳ６ｃ）。
次に、Ｎ番目のファイルアイテムが本装置で使用可能な情報単位群であるかどうかを後述するような方法により判定する（ステップＳ６ｄ）。
本装置で使用可能な情報単位群であると判断された場合には群名保持手段４に、そのファイルアイテムの名称と存在する場所の情報を順次追加していく（ステップＳ６ｅ）。
具体的には情報単位群の名称は各情報単位群が個別に持つファイルアイテム名称を読み出すことにより獲得し、場所情報はカレントディレクトリの位置により得ることができる。
例えば図２では情報単位群２ａには「他社特許概要」、情報単位群２ｂには「各種引用」という名称が予め付けられている。
次に、このＮ番目のファイルアイテムが下位にファイルアイテムを含むかどうかを判断する（ステップＳ６ｆ）。
下位にファイルアイテムを含む場合には、変数ＣＵＲＤＩＲの値にＮ番目のファイルアイテムをセットして（ステップＳ６ｇ）、この図６の関数を再帰的に呼び出す（ステップＳ６ｈ）。
変数Ｎの値をインクリメント（ステップＳ６ｉ）した後、Ｎ番目のファイルアイテムが存在する限り（ステップＳ６ｊ）、ステップＳ６ｃからステップＳ６ｉの処理を繰り返す。
カレントディレクトリ内に未判断のファイルアイテムが無くなった場合にはこの関数を終了する。
そして、最初に変数ＣＵＲＤＩＲにルートディレクトリをセットした関数が終了した時点で、制御は図５のフローチャートで示される処理へと戻る。
このとき、群名保持手段４にはファイルシステム中に存在する、本装置で使用可能な情報単位群の群名がすべて記憶されている。
図８（ａ）は図２のファイルシステムを検索した結果、群名保持手段４に保持される情報の一例である。
【００３６】
ステップＳ６ｄにおいて、ファイルアイテムが本装置で使用可能な情報単位群であるかの判定は以下のように行われる。
本実施例の装置で扱うことのできる情報単位群は、図３に示したようにファイルアイテム（ディレクトリ）下に、Ｄａｔａ，Ｉｎｄｅｘ，Ｔａｂｌｅという３つのファイルアイテム（サブファイル）を持つ構造である。
そこで、ファイルアイテムの中にこの３つのサブファイルを持つものは、本装置で扱うことができる情報単位群であると判断することができる。
この例に基づいて図６のＳ６ｄ及びＳ６ｅを詳細に示したフローチャートが図７である。
【００３７】
まず、注目するファイルアイテムの下の何番目のサブファイルかを示す変数Ｊに１を代入するとともに、サブファイルＤａｔａの存在の有無を示すフラグＤＦ、サブファイルＩｎｄｅｘの存在の有無を示すフラグＩＦ、サブファイルＴａｂｌｅの存在の有無を示すフラグＴＦをそれぞれ０に初期化する（ステップＳ７ａ）。
以下の処理ではＪ番目のサブファイルを処理対象とする（ステップＳ７ｂ）。Ｊ番目のサブファイルがＤａｔａであるかどうかチェックし（ステップＳ７ｃ）、Ｄａｔａであれば、フラグＤＦの値を１にセットする（ステップＳ７ｄ）。同様に、Ｉｎｄｅｘであるかどうか（ステップＳ７ｅ）、Ｔａｂｌｅであるかどうか（ステップＳ７ｇ）をチェックし、それぞれ該当するサブファイルであれば、対応するフラグＩＦ（ステップＳ７ｆ）、フラグＴＦ（ステップＳ７ｈ）を１にセットする。
この３つのサブファイルのチェックの順番は任意で良い。
次に、フラグＤＦ、ＩＦ、ＴＦの３つ全てが１になっているかどうかをチェックする（ステップＳ７ｊ）。
全てが１になっている場合には、注目するファイルアイテムは、本装置で使用可能な情報単位群であるので、その名称と存在場所の情報を群名保持手段４に記録する（ステップＳ７ｋ）。
全てが１でない場合には、変数Ｊの値をインクリメントし、次のサブファイルが存在すれば、そのサブファイルについてステップＳ７ｂからステップＳ７ｉを繰り返す（ステップＳ７ｌ）。
サブファイルが無くなったら、そのファイルアイテムは本装置で使用可能な情報単位群でないので、処理を終了する。
【００３８】
これ以外にも判定の方法はいくつか存在する。
例えば、最も単純な方法として、本装置が扱う情報単位群の名称を、「×××．ＤＡＴ」等と決めておき、判断の対象となるファイルアイテムがこの規則に沿ったものかどうかを判定する方法である。
また、ファイルシステムによっては、各ファイルがどのアプリケーションで取り扱われるものかを示すファイルタイプを規定できるものもある。
そのようなファイルシステムにおいては、ファイルアイテムごとにファイルタイプをチェックして判定基準にすることもできる。
より正確に判断しようとすれば、実際にそのファイルアイテムを検索対象としてオープンして、一度検索し、実際にその対象が検索可能で、かつ正当な情報単位群であるかどうかを判定するといった方法もある。
その際に、どの情報単位群も共通に持っている管理用情報単位を検索してもよい。
管理用情報単位はキーボードなどを用いてユーザが入力することができない固有の検索キーにより検索される情報単位である。
【００３９】
次に、本装置で使用可能な情報単位群が保持されている可能性の高いディレクトリを存在場所保持手段２に、あらかじめ保持しておく場合の処理を図１０に示すフローチャートを用いて説明する。
本実施例においては、存在場所保持手段２は図１２のように構成されているものとする。
【００４０】
図１０において、まず変数Ｋの値を０にセットする（ステップＳ１０ａ）。
次に存在場所保持手段２に保存されている指定ディレクトリのＫ番目を読み込んで、カレントディレクトリとする（ステップＳ１０ｂ）。
変数Ｎの値を０にセットし（ステップＳ１０ｃ）、カレントディレクトリのＮ番目のファイルアイテムを処理対象として指定する（ステップＳ１０ｄ）。
次にこのファイルアイテムが装置で使用可能な情報単位群であるかを判定し（ステップＳ１０ｅ）、そうである場合には、群名保持手段４にそのファイルアイテムの名称を記録する（ステップＳ１０ｆ）。
変数Ｎの値を１つづつインクリメントしながら（ステップＳ１０ｇ）、ファイルアイテムがなくなるまでステップＳ１０ｃからステップＳ１０ｇの処理を繰り返す（ステップＳ１０ｈ）。
そして、変数Ｋの値を１つづつインクリメントし（ステップＳ１０ｉ）、指定されたディレクトリが全てなくなるまで、ステップＳ１０ｂからステップＳ１０ｉの処理を繰り返す（ステップＳ１０ｊ）。
最後に、群名表示手段３が、使用可能な情報単位群の名称をリストアップして処理を終了する（ステップＳ１０ｋ）。
【００４１】
図１０の処理では、指定されたディレクトリの一階層のみを調べるように構成したが、指定されたディレクトリが更に下位のディレクトリを含んでいる場合には、図６のフローチャートに示したような再帰的な処理により、指定ディレクトリ以下のディレクトリを検索するように構成してもよい。
その場合には、検索された情報単位群に重複が生じないように、群名保持手段４への群名の記録の際に、既に同じ群名のものが含まれていないかチェックしてから書き込むようにしたり、後処理により、群名保持手段４の内容から重複しているものを省くように構成するのがよい。
【００４２】
次に、図１１を用いて図５のステップＳ５ｃで行われる情報単位群統合手段の参照について述べる。
最初に情報単位群統合手段に格納されている統合情報のうちで、ルートになっているものを１つ選択して図１１の処理に移る。
まず、カレントの統合情報を設定する。
スタートではルートの統合情報となる（ステップＳ１１ａ）。
カレントの統合情報の名前とアドレスを一時的に記録しておく（ステップＳ１１ｂ）。
次にカレントの統合情報の子の順序を計数する変数Ｎに０を代入し（ステップＳ１１ｃ）、Ｎ番目の子に当たる統合情報を処理対象とする（ステップＳ１１ｄ）。
処理対象の統合情報が二分木の葉であるかどうかをチェックし（ステップＳ１１ｅ）、処理対象の統合情報が葉であるときには、その統合情報に対応する情報単位群が存在しているかどうかをチェックする。
チェックの方法として、例えば、統合情報に対応している情報単位群の群名に一致する群名が群名保持手段に保持されているかどうかを調べることができる（ステップＳ１１ｆ）。
このとき情報単位群が存在しなければ、一時的に記憶した統合情報の名前をクリアして、ルートの統合情報から始まったこの関数を強制終了する（ステップＳ１１ｇ）。
ステップＳ１１ｅにおいて葉でない場合は、その統合情報をカレントの統合情報として（ステップＳ１１ｈ）この関数を再帰的に呼び出す（ステップＳ１１ｉ）。
変数Ｎをインクリメントして（ステップＳ１１ｊ）、Ｎの値が２未満であれば，ステップＳ１１ｄから繰り返し、そうでなければ、処理を終了する（ステップＳ１１ｋ）。
図１１の関数が１つのルートの統合情報に付いて終了すると、一時的に記憶しておいた統合情報の名前と統合情報のアドレスを群名保持手段に移動する。
そして、ルートとなっている統合情報がなくなるまで、以上の処理を繰り返す。
図８（ｂ）は図５のフローチャートに示す処理が終了したときの群名保持手段の状態の一例を示したものである。
【００４３】
なお、ここでは二分木の各ノードに当たる統合情報をすべて、抽出するようにしたが、統合情報が多くなると煩雑になることもあるので、例えば、ルートにあたる統合情報についてのみ抽出するようにしてもよい。
この場合、二分木で統合する必要はなく、リスト構造等を用いてもよい。
また、ステップＳ５ｃの処理を行うかどうかをユーザが指定できるようにしてもよい。
ステップＳ１１ｆ、Ｓ１１ｇの処理では、統合された情報単位群の中で、存在しないものがあれば、それを検出して表示しないようにしているので、既に価値のなくなった統合情報を処理対象として指定することがない。
このとき、削除された情報単位群を含む統合情報は、自動的に削除するように構成してもよい。
【００４４】
（情報単位群の選択）図９のようにリストアップされた情報単位群または統合情報から、操作対象とする情報単位群を選択する処理について述べる。
【００４５】
図１３は、情報単位群選択手段６が、選択順序を記録せず情報単位群を選択する処理を表現したフローチャートである。
この処理によれば、複数の情報単位群を同時に選択することが可能である。
ただし、選択順序を記録しないので、複数の情報単位群を順序を付けて組み合せることはできない。
ここでは、マウスクリックによって、ユーザーが情報単位群を選択するものとする。
【００４６】
まず、マウスイベントを取得し（ステップＳ１３ａ）、それが使用可能な情報単位群を表示したリスト内で起きたものかをチェックする（ステップＳ１３ｂ）。
リスト内で起きたものの場合には、リストの選択処理として、選択されたアイテムをユーザが認識できるように表示を変更する。
ここでは、図１４のように選択されたアイテムの表示部分にシェードをかける。
各アイテムの表示に対応してフラグが設けられており、シェードのかかったアイテムにはフラグが立つようになっている（ステップＳ１３ｃ）。
そして、選択処理が終了するまで、ステップＳ１３ａからステップＳ１３ｃの処理を繰り返す（ステップＳ１３ｄ）。
【００４７】
次に、選択結果を取り出して記録する。
まず、変数Ｎに０をセットし（ステップＳ１３ｅ）、ステップＳ１３ｃで設定されたフラグをチェックして、リストのアイテムのＮ番目が選択されているかをチェックする（ステップＳ１３ｆ）。
選択されていたとすると、選択内容を選択結果保持手段７に情報単位群名称、場所情報等を記録する（ステップＳ１３ｇ）。
図１５は選択結果保持手段の記憶状態を示した一例である。
そして、変数Ｎを１づつインクリメントしながら（ステップＳ１３ｈ）、リストのアイテムが終了するまでステップＳ１３ｆからステップＳ１３ｈの処理を繰り返す（ステップＳ１３ｉ）。
最終的に、情報単位群統合手段８が、選択結果保持手段７の情報を用いて、１つ以上の情報単位群を統合し、統合された結果に基づいて対象となる情報単位群をオープンする（ステップＳ１３ｊ）。
なお、オープンするとは情報単位群を操作可能な状態にすることをいう。
【００４８】
以降、このオープンされた情報単位群が操作対象となる。
本実施例では、情報単位群統合手段８は選択結果保持手段７に保持された情報単位群または統合情報に基づいて二分木を構成する。
まず、初期設定として、選択結果保持手段７に保持されたリストから情報単位群または統合情報を取り出す。
情報単位群であった場合は、その情報単位群を例えばポインタ等で指し示すような新たな統合情報を１つ作成し、その統合情報を指定統合情報Ａとする。
統合情報であった場合は、その統合情報を指定統合情報Ａとする。
次に、選択結果保持手段７に保持された情報単位群または統合情報を取り出し、情報単位群であった場合は、その情報単位群を例えばポインタ等で指し示すような新たな統合情報を１つ作成し、その統合情報を指定統合情報Ｂとする。
統合情報であった場合は、その統合情報を指定統合情報Ｂとする。
指定統合情報ＡとＢが揃ったら、指定統合情報ＡとＢを指す新しい統合情報を作成し、この新しい統合情報を指定統合情報Ａとする。
そして、選択結果保持手段７に保持されたリストが終了するまで、指定統合情報Ｂを決定するところから処理を繰り返す。
後述する検索時または分析時には、生成された統合情報を、ルートノードとして処理を開始する。
【００４９】
図１６は、情報単位群選択手段６が、選択順序を記録しながら情報単位群を選択する処理を表現したフローチャートである。
この処理によれば、複数の情報単位群を同時に選択したり、複数の情報単位群を順序を付けて組み合せることができる。
まず、マウスイベントを取得し（ステップＳ１６ａ）、それが使用可能情報単位群を表示したリスト内で起きたものかをチェックする（ステップＳ１６ｂ）。リスト内で起きたものの場合には、リストの選択処理として、ここでは図１４のように選択されたアイテムにシェードをかける（ステップＳ１６ｃ）。
同時に、選択内容を選択結果保持手段７に選択順序、情報単位群名称、場所情報等を追加記録する（ステップＳ１６ｄ）。
図１７にこの場合の選択結果保持手段の記憶形態の一例を示す。
そして、選択処理が終了するまで、ステップＳ１６ａからステップＳ１６ｄの処理を繰り返す（ステップＳ１６ｅ）。
最終的に、選択結果保持手段７の情報を用いて、情報単位群統合手段８が１つ以上の情報単位群を統合しオープンする（ステップＳ１６ｆ）。
【００５０】
この実施例の場合は、選択順序情報を保持しているので、順序情報を利用したオープンが可能となる。
具体的には、検索キーが入力された場合、ある情報単位群に対して行った検索結果を、次に指定された情報単位群に対する検索キーとして利用するといった検索である。
前述の二分木による統合は、その順序を保持するように構成する。
例えば、二分木を作成するときに、選択結果保持手段７のリストの最後から順に読み出し、指定統合情報Ｂに順序２、指定統合情報Ａに順序１を割当てれば、順序が維持される。
【００５１】
（オープンされた情報単位群の検索）オープンされた情報単位群の検索処理について述べる。
ここでは、前述の処理により複数の情報単位群が情報単位群統合手段８によって、前記の二分木構造を用い、あたかも１つの情報単位群として取り扱えるように統合されているものとする。
【００５２】
図１８は、検索処理について表現したフローチャートである。
まず、ユーザーは検索条件入力手段９から、検索条件を入力する。
ここでは、各情報単位に付与されているキーワードに対する検索を行うものとする。
ユーザーは検索条件入力手段９に検索キーを入力する（ステップＳ１８ａ）。ここでは、検索方法としてキーワード検索を用いるが、全文検索などの一般的検索に置き換えても、基本的な機能や処理フローは全く同様である。
検索手段１０は、この検索キーに基づいて、統合されている複数の情報単位群を検索し、図１９のような検索結果を得る（ステップＳ１８ｂ）。
この場合は、条件に適合した情報単位の名称、所属情報単位群の名称、情報単位実体のファイル中での存在位置の情報が検索結果である。
そして、この結果を検索結果表示手段１１に、図２０のように見出し語リストの形態でユーザーに提示する（ステップＳ１８ｃ）。
ユーザーから、検索終了の指示が出るまで、この処理を繰り返す（ステップＳ１８ｄ）。
【００５３】
ステップＳ１８ｂにおいて、統合されている情報単位群の検索の際には、先だって作成した統合情報のルートノードから二分木を順次探索し、たどり着いた葉の統合情報に対応する情報単位群に対して検索条件を与え、検索をかける。
また、情報単位群を統合した二分木は、検索処理が終わっても通常、すなわち、選択結果保持手段のリストが１つの要素からなっている時以外は保持されるようにする。
前述のように二分木の各ノードに対応する統合情報を指定することが出来るような構成とすれば、指定された統合情報の下位に存在する情報単位群をあたかも一つの情報単位群であるかのように検索・分析を行うことができ、予めファイルの存在状況を管理する手続きやユーザインタフェースをを別個に設けなくても、必要な時に必要な情報単位群の編成ができるというメリットを持つ。
また、必要な時だけ二分木を保持するようなコマンドを設けてもよい。
統合された情報単位群を後に利用することを考えない場合には、情報単位群統合手段８に二分木による統合の機能を持たせなくてもよい。
情報単位群統合手段８は統合選択結果保持手段７を参照しながら、そこに記憶されて利得情報単位群の１つをオープンして検索を行った後、次の情報単位群に移り、同様な処理を繰り返すことができる。
【００５４】
次に情報単位群の選択順序を用いて、連続的な検索を行う例を述べる。
図２１は統合を行わない場合において、情報単位群が順序付けされたときの、検索手続きをしめしたフローチャートである。
まず、検索条件を入力する（ステップＳ２１ａ）。
次に選択順序を示す変数Ｎに１をセットする（ステップＳ２１ｂ）。
選択順序の情報単位群をオープンする（ステップＳ２１ｃ）。
検索条件でオープンした情報単位群を検索し（ステップＳ２１ｄ）、検索結果を記録しておく（ステップＳｅ）。
情報単位群をクローズする（ステップＳ２１ｆ）。
Ｎをインクリメントし（ステップＳ２１ｇ）、次の情報単位群が存在すれば（ステップＳ２１ｈ）、記憶保持している検索結果を検索条件として，ステップＳｃから繰り返す（ステップＳ２１ｉ）。
次の情報単位群が存在しなければ、検索結果を表示して終了する（ステップＳ２１ｊ）。
統合されている場合は、Ｎの個数をカウントする代わりに、統合情報のルートノードから二分木を順次探索し、たどり着いた葉の統合情報に対応する情報単位群に対して検索をかけるように構成すればよい。
子に対応する統合情報をさす枝に順序を保持していれば、順序１の付いているほうから検索することにより選択の順序が守られる。
以上述べた処理により、ファイルシステム内に他のファイルと混在する情報単位群の中から、自由な組合せに対して検索を加えることが可能となる。
【００５５】
（検索結果の詳細と所属情報単位群の表示）検索結果の詳細情報とともに、詳細情報を表示した情報単位がどの情報単位群に所属するものであるかを表示する処理について述べる。
図２２は、この処理を表現したフローチャートである。
まず、マウスイベントを取得し（ステップＳ２２ａ）、そのイベントが検索結果を表示したリストの内部で発生したものかどうかをチェックする（ステップＳ２２ｂ）。
もし、リスト内のものであれば、リスト選択処理として、ここではリスト中の選択されたアイテムにシェードをかける（ステップＳ２２ｃ）。
そして、図１９の検索結果の情報単位群名とファイル位置から、選択されたアイテムの内容を読み込んで、表示する（ステップＳ２２ｄ）。
次に、この情報単位が所属する情報単位群の名称を図１９の検索結果から取り出し（ステップＳ２２ｅ）、同時に表示する。
所属情報単位群とともに内容を提示した例が図２３である（ステップＳ２２ｆ）。
以上の処理をユーザーが終了の指示を出すまで繰り返す（ステップＳ２２ｇ）。
この処理で、情報単位の詳細な内容とともに、それがどの情報単位群に属するものなのかについて知ることができる。
【００５６】
（実施例２：分析のための全体構成）図２４は、複数の情報単位群に含まれる情報単位の分析を行なうための情報操作装置の一例の全体構成を示すブロック図である。
本実施例は、ファイルシステム１、ファイルシステムの中から、本装置が使用可能な情報単位群を検索する情報単位群検索手段５、情報単位群検索手段５が検索中に参考にする存在場所保持手段２、情報単位群検索手段５の検索結果を保持する群名保持手段４、群名保持手段４の内容を表示する群名表示手段３、群名表示手段３に表示されている情報単位群の中から検索対象とする情報単位群を選択する情報単位群選択手段６、情報単位群選択手段６の選択結果を保持する選択結果保持手段７、選択結果保持手段７の内容に基づいて、選択された情報単位群を統合し、一つの情報単位群として構成する情報単位群統合手段８、情報単位群統合手段８によって統合された情報単位群に属する各情報単位を評価した値を算出するための条件を保持する評価条件保持手段１６、評価条件保持手段１６の条件に基づいて情報単位を評価する情報単位評価手段１５、情報単位評価手段１５によって算出された評価値に基づいて、情報単位の存在を表現する画像構成要素の位置を決定する位置算出手段１４、位置算出手段１４によって決定された位置に画像構成要素を配置する分析画像生成手段１３、分析画像生成手段１３によって生成された画像を表示する分析画像表示手段１２とからなる。
【００５７】
（分析画像の生成）選択した情報単位群を検索し、その情報単位に含まれる情報単位の存在を表現する点などの画像構成要素を各情報単位の性質に応じて配置することにより、選択した情報単位群を分析することができる。
ここでは、横方向に評価アイテム（検索キーワード群）を配置し、情報単位がその評価アイテムをキーワードに含む場合には点を配置する。
縦方向はランダムに配置するものとする。
【００５８】
図２５は、この処理を表現したフローチャートである。
選択された情報単位群が選択結果保持手段に格納され、１つの情報単位群と同様な扱いができるように統合されるまでの動作は実施例１と同様なので省略し、以下ではそれ以降の処理について述べる。
まず、検索対象として選択され、統合されている情報単位群に含まれる情報単位を順次１つづつ読み込む。
統合されている情報単位群の取扱いについては実施例１の検索の説明で述べたのと同様に二分木を探索する（ステップＳ２５ａ）。
そして、評価条件保持手段１６に保存されている評価アイテムを順次一つづつ取り出し、情報単位評価手段１５は、読み込んだ情報単位と評価アイテムを比較する。
図２６は評価条件保持手段に保持される評価アイテムの例である。
この場合、『デザイン』『イメージ』『感性』が横方向の評価アイテムとなる。
評価アイテムに続いて示されている数字の１０、２０、３０等は評価値を示し、後述するように使用される。
縦方向は条件が指定されないで、評価値のみ乱数により発生されることを示している（ステップＳ２５ｂ）。
もしも、条件が適合する場合、即ちこの例においては情報単位のキーワードの中に評価アイテムが含まれる場合には、その情報単位について横方向評価値（例えば１０）をセットする（ステップＳ２５ｃ）。
さらに、縦方向の評価値（この例の場合は乱数を取得する）もセットする（ステップＳ２５ｄ）。
そして、この両方の評価値に基づいて、位置算出手段１４が、実際の画面上の点の位置に変換する（ステップＳ２５ｅ）。
続いて分析画像生成手段１３が、この位置に新たに点を付加した画像を生成し（ステップＳ２５ｆ）、分析画像表示手段１２に表示する（ステップＳ２５ｇ）。
１つの情報単位に付き、このステップＳ２５ｂからステップＳ２５ｇの処理を評価アイテムが終了するまで繰り返す（ステップＳ２５ｈ）。
さらに、ステップＳ２５ａからステップＳ２５ｈの処理を統合された情報単位群に含まれる全ての情報単位を読み込むまで繰り返す（ステップＳ２５ｉ）。
【００５９】
以上の処理によって、生成された画像の例を図２７に示す。
この図では、３つの評価アイテムそれぞれをキーワードに含む情報単位の存在を表現する画像構成要素（点）が、画面上に配置されている。
なお、評価条件保持手段に保持される評価条件は幾つかのグループに分かれていてもよく、どの評価条件で表示させるか予め選択させるような構成にしてもよいし、ユーザが適当に組み合せたり、任意に指定できるようにしてもよい。
その場合、図２７の軸の表示部分もそれに応じて書き換えればよい。
以上述べた処理により、ファイルシステム内に他のファイルと混在する情報単位群の中から、自由な組合せに対して、分析を加えることが可能となる。
【００６０】
なお、情報単位群としては、上記実施例に示したようなファイル形式に従って構成されたものであれば、辞書データベースや、音声、画像等の混在したマルチメディアデータベースなどを利用することができる。
【００６１】
【発明の効果】
本発明により、通常のファイルシステム内に他のファイルとともに散在する複数の情報単位群を、自由に組み合せ、容易に検索や分析を行うことができるようになった。
特に、複数の情報単位群を同時に選択して検索した場合には、検索結果がどの情報単位群に所属するものなのかを知ることが容易となった。
あらかじめ情報単位群が存在する可能性の高い場所を指定しておき、その中を検証することにより、効果的に使用可能な情報単位群をユーザーに提示することが可能となった。
また、本装置で使用可能な情報単位群の検索時にファイルのディレクトリ構造を利用することができるようになった。
また、情報単位群の検索順序を自由に、かつダイナミックに指定して連続検索が容易に行えるようになった。
更に、検索、分析対象とする情報単位群の統合を行い、保持しておくことにより、情報単位群の編成をより柔軟にかつ容易に行えるようになった。
【図面の簡単な説明】
【図１】本発明の情報単位群操作装置を実現するための構成を示すブロック図である。
【図２】本発明で対象としているファイルシステムの例を示す図である。
【図３】本発明で対象とする情報単位群の構成の一例を示す図である。
【図４】情報単位群統合手段に保持される統合情報の一例を示す図である。
【図５】全ファイルシステムをチェックし、使用可能な情報単位群を検索するための処理を表現するフローチャートである。
【図６】図５の処理によって再帰的に利用される使用可能情報単位群抽出関数を示す図である。
【図７】ファイルアイテムが本装置で使用可能な情報単位群であるかの判定の例を示すフローチャートである。
【図８】群名保持手段に保存される情報の例を示す図である。
【図９】使用可能情報単位群を表示した例である。
【図１０】指定されたディレクトリに存在する使用可能な情報単位群を検索するための処理を表現するフローチャートである。
【図１１】統合情報を検索するフローチャートである。
【図１２】存在場所保持手段に保存される情報の例を示す図である。
【図１３】選択順序を保存しない場合の情報単位群選択処理を表現するフローチャートである。
【図１４】情報単位群を選択した例を示す図である。
【図１５】選択結果保持手段に保存される情報の例（順序なし）を示す図である。
【図１６】選択順序を保存する場合の情報単位群選択処理を表現するフローチャートである。
【図１７】選択結果保持手段に保存される情報の例（順序あり）を示す図である。
【図１８】情報単位群の検索処理を表現するフローチャートである。
【図１９】検索結果の例を示す図である。
【図２０】検索結果の表示例を示す図である。
【図２１】情報単位群が順序付けされて指定された時の検索手続きを示すフローチャートである。
【図２２】検索結果の見出し語を選択し詳細な内容を提示する処理を表現するフローチャートである。
【図２３】情報単位の詳細な内容を提示した例を示す図である。
【図２４】本発明の情報操作装置を実現するための構成を示すブロック図である。
【図２５】情報単位を順次読み込んで評価し、分析画像を提示するための処理を表現するフローチャートである。
【図２６】評価値算出手段に保存される情報の例を示す図である。
【図２７】分析画像を表示した例を示す図である。
【符号の説明】
１…ファイルシステム、２…存在場所保持手段、３…群名表示手段、４…群名保持手段、５…情報単位群検索手段、６…情報単位群選択手段、７…選択結果保持手段、８…情報単位群統合手段、９…検索条件入力手段、１０…検索手段、１１…検索結果表示手段、１２…分析画像表示手段、１３…分析画像生成手段、１４…位置算出手段、１５…情報単位評価手段、１６…評価条件保持手段、２ａ，２ｂ…情報単位群、２ｃ，２ｄ…ディレクトリ、２ｅ…文書ファイル、２ｆ…画像ファイル
【図１】
2004046870.tif 000003
【図２】
2004046870.tif 000004
【図３】
2004046870.tif 000005
【図４】
2004046870.tif 000006
【図５】
2004046870.tif 000007
【図６】
2004046870.tif 000008
【図７】
2004046870.tif 000009
【図８】
2004046870.tif 000010
【図９】
2004046870.tif 000011
【図１０】
2004046870.tif 000012
【図１１】
2004046870.tif 000013
【図１２】
2004046870.tif 000014
【図１３】
2004046870.tif 000015
【図１４】
2004046870.tif 000016
【図１５】
2004046870.tif 000017
【図１６】
2004046870.tif 000018
【図１７】
2004046870.tif 000019
【図１８】
2004046870.tif 000020
【図１９】
2004046870.tif 000021
【図２０】
2004046870.tif 000022
【図２１】
2004046870.tif 000023
【図２２】
2004046870.tif 000024
【図２３】
2004046870.tif 000025
【図２４】
2004046870.tif 000026
【図２５】
2004046870.tif 000027
【図２６】
2004046870.tif 000028
【図２７】
2004046870.tif 000029